(57)【要約】【課題】放送サービスのためのＴＤＭＡ受動型光ネットワークＯＬＴシステムを提供する。【解決手段】受信された第１データのヘッダに基づいて、第１データが、ブロードキャスティング伝達方式であるか、マルチキャスティング伝達方式であるか、又は、ユニキャスティング伝達方式であるかを区分し、出力ポートを決定するための識別コードを追加して第２データを生成するパケット処理部と、第２データを伝達方式によって所定数だけコピーし、識別コードによって当該出力ポートに伝達するスイッチ部と、第２データに追加された識別コードを除去し、ＴＤＭＡ  ＰＯＮフレームに変換するＭ個のＴＤＭＡ  ＰＯＮ  ＭＡＣ処理部と、ＴＤＭＡ  ＰＯＮフレームを光信号に変換してＯＮＴに伝送するＭ個の光送信部と、を備えて、ＴＤＭＡ  ＰＯＮネットワークを使用して効率的にＩＰＴＶのような放送サービスを提供できるＴＤＭＡ  ＰＯＮ  ＯＬＴシステムである。【選択図】図２
2007174641.tif 000002
【特許請求の範囲】
【請求項１】
ＯＬＴからＯＮＴに伝達される下向きのデータ量が、ＯＮＴからＯＬＴに伝達される上向きのデータ量より多いＴＤＭＡ  ＰＯＮシステムにおいて、
外部ノード又は前記ＯＮＴから受信されたデータのヘッダ情報（パケットヘッダのＩＰアドレス、イーサネットフレームのＭＡＣアドレス等）を利用して、フレーム種類（ユニキャスト、マルチキャスト、ブロードキャスト）及びスイッチ出力ポート情報を決定し、関連情報をフレームのヘッダ部分に付加して内部フレームを生成するパケット処理部と、
前記パケット処理部から受信されたフレームに含まれた識別情報によって、前記フレームの種類とスイッチ出力ポートとを区分し、ブロードキャストフレームを総てのｍ個のＴＤＭＡ  ＰＯＮ  ＭＡＣにコピーして伝達し、マルチキャストフレームをコピーして当該スイッチ出力ポートに伝達し、ユニキャストフレームを当該目的地出力ポートにのみ伝達するスイッチ部と、
前記スイッチ部の内部フレームを伝達されて、フレームヘッダに付加されたフレーム種類及び出力ポート情報を除去してＴＤＭＡ  ＰＯＮフレームに変換するｍ個のＴＤＭＡ  ＰＯＮ  ＭＡＣ処理部と、
前記ＭＡＣ処理部のＴＤＭＡ  ＰＯＮフレームを光信号に変換してＯＮＴに伝達するｍ個の光送信部と、
を備えることを特徴とする、ＩＰＴＶ放送サービスのためのＴＤＭＡ  ＰＯＮ  ＯＬＴシステムの送信装置。
【請求項２】
ＯＬＴからＯＮＴに伝達される下向きのデータ量が、ＯＮＴからＯＬＴに伝達される上向きのデータ量より多いＴＤＭＡ  ＰＯＮシステムにおいて、
ＴＤＭＡ  ＰＯＮでバーストモードの光信号からデータを抽出するｍ個の光送受信部と、
抽出されたデータからＴＤＭＡ  ＰＯＮフレームを復元するｍ個のＴＤＭＡ  ＰＯＮ  ＭＡＣ処理部と、
最大ｍ個のＴＤＭＡ  ＰＯＮ  ＭＡＣ処理部から受信されたフレームを多重化して１個のパケット処理部に伝達するスイッチ部と、
受信された内部フレームからイーサネットフレーム又はパケットを復元し且つ処理するパケット処理部と、
を備えることを特徴とする、ＩＰＴＶ放送サービスのためのＴＤＭＡ  ＰＯＮ  ＯＬＴシステムの受信装置。
【請求項３】
下向きの光リンク速度がＡであり、上向きの光リンク速度がＡ／ｎである非対称型光リンク速度を有するＴＤＭＡ  ＰＯＮシステムにおいて、
１個のパケット処理部で連結されるＴＤＭＡ  ＰＯＮ  ＭＡＣ処理部の数（＝ｍ）がｎ≦ｍである関係を有するように構成することを特徴とする、ＩＰＴＶ放送サービスのためのＴＤＭＡ  ＰＯＮ  ＯＬＴシステム。
【請求項４】
受信された第１データのヘッダに基づいて前記第１データがブロードキャスティング伝達方式であるか、マルチキャスティング伝達方式であるか、又は、ユニキャスティング伝達方式であるかを区分し、出力ポートを決定するための識別コードを追加して第２データを生成するパケット処理部と、
前記第２データを所定数だけコピーし、前記識別コードによって当該出力ポートに伝達するスイッチ部と、
前記第２データに追加された識別コードを除去し、ＴＤＭＡ  ＰＯＮフレームに変換するＭ個のＴＤＭＡ  ＰＯＮ  ＭＡＣ処理部と、
前記ＴＤＭＡ  ＰＯＮフレームを光信号に変換してＯＮＴに伝送するＭ個の光送信部と、
を備えることを特徴とする、放送サービスのためのＴＤＭＡ  ＰＯＮ  ＯＬＴシステムの光送信装置。
【請求項５】
前記第１データは、
パケットデータ及びイーサネットフレームデータのうちのいずれか一つであることを特徴とする請求項４に記載の放送サービスのためのＴＤＭＡ  ＰＯＮ  ＯＬＴシステムの光送信装置。
【請求項６】
前記パケット処理部で前記識別コードは、前記第１データのリザーブドヘッダに追加されることを特徴とする請求項４に記載の放送サービスのためのＴＤＭＡ  ＰＯＮ  ＯＬＴシステムの光送信装置。
【請求項７】
前記スイッチ部は、前記ブロードキャスティング伝達方式のデータを、前記ＴＤＭＡ  ＰＯＮ  ＭＡＣ処理部の数であるＭ個だけコピーし、前記マルチキャスティング伝達方式のデータを、伝達されるＴＤＭＡ  ＰＯＮ  ＭＡＣの数だけコピーすることを特徴とする請求項４に記載の放送サービスのためのＴＤＭＡ  ＰＯＮ  ＯＬＴシステムの光送信装置。
【請求項８】
ＯＮＴから伝送されたバーストモード特性を有する光信号を受信してデータを抽出するＭ個の光受信部と、
前記抽出されたデータをＴＤＭＡ  ＰＯＮフレームに復元するＭ個のＴＤＭＡ  ＰＯＮ  ＭＡＣ処理部と、
前記復元されたＭ個のＴＤＭＡ  ＰＯＮフレームを多重化するスイッチ部と、
前記多重化されたフレームをイーサネットフレーム及びパケットデータのうちのいずれか一つに復元するパケット処理部と、
を備えることを特徴とする放送サービスのためのＴＤＭＡ  ＰＯＮ  ＯＬＴシステムの光受信装置。
【発明の詳細な説明】
【技術分野】
【０００１】
本発明は、受動型光ネットワーク（Ｐａｓｓｉｖｅ  Ｏｐｔｉｃａｌ  Ｎｅｔｗｏｒｋ：ＰＯＮ）システムにおける放送サービスの提供に係り、さらに詳細には、単一光ケーブルを通じて放送及び通信の同時サービスを可能にするＴＤＭＡ  ＰＯＮ  ＯＬＴシステムに関する。
【背景技術】
【０００２】
最近、ネットワークメーカは、放送、音声、データを一つのネットワークで総て処理できるＴＰＳ（Ｔｒｉｐｌｅ  Ｐｌａｙ  Ｓｅｒｖｉｃｅ）サービスを提供するために多くの投資を進めている。
【０００３】
ＦＴＴＨ（Ｆｉｂｅｒ  Ｔｏ  Ｔｈｅ  Ｈｏｍｅ）ネットワークを利用して加入者にＩＰＴＶ（Ｉｎｔｅｒｎｅｔ  Ｐｒｏｔｏｃｏｌ  Ｔｅｌｅｖｉｓｉｏｎ）のような放送サービスを提供するためには、ＯＬＴ（Ｏｐｔｉｃａｌ  Ｌｉｎｅ  Ｔｅｒｍｉｎａｌ）からＯＮＴ（Ｏｐｔｉｃａｌ  Ｎｅｔｗｏｒｋ  Ｔｅｒｍｉｎａｌ）方向に既存よりはるかに多くの下向き帯域が要求される。
【０００４】
超高速インターネット網の場合にも、下向きトラフィックが上向きトラフィックよりはるかに多い状態であるので、もし、追加的に放送サービスを提供すれば、上向きトラフィック及び下向きトラフィックの比率が深刻に非対称になるという問題点をもたらす。
【０００５】
しかし、現在、ＩＴＵ−Ｔ  Ｇ．９８４．１〜２で勧告されたＧＰＯＮシステムでは、上下向きトラフィックの比率を１：１乃至１：４まで構成することができ、ＩＥＥＥ  ８０２．３ａｈで標準化されたＥＰＯＮシステムの場合には、上向きトラフィック及び下向きトラフィックの比率が１：１である。
【０００６】
従って、現在のＴＤＭＡ  ＰＯＮシステム及びネットワーク構造は、今後予想される上下向き速度の深刻な非対称性のためにネットワーク効率性が低下して、ＯＬＴ装備のコスト上昇をもたらす。
【０００７】
これを解決するために、ＴＤＭＡ−ＰＯＮにおいて使用されるマルチキャスティング方式は、チャンネル変更時間の遅延によってユーザに不便さを与え、波長分割多重化を利用したブロードキャスティング方式は、放送信号のみのために、高価な光送受信器及び光増幅器を追加しなければならないので、システムの構築コストを上昇させる。
【発明の開示】
【発明が解決しようとする課題】
【０００８】
本発明が解決しようとする技術的課題は、上記問題点を解決するためのものであって、放送サービスのためのＴＤＭＡ受動型光ネットワークＯＬＴシステムを提供することである。
【課題を解決するための手段】
【０００９】
上記技術的課題を解決するための本発明に係る放送サービスのためのＴＤＭＡ  ＰＯＮ  ＯＬＴシステムの送信装置の実施の一形態は、受信された第１データのヘッダに基づいて、上記第１データがブロードキャスティング伝達方式であるか、マルチキャスティング伝達方式であるか、又は、ユニキャスティング伝達方式であるかを区分し、出力ポートを決定するための識別コードを追加して第２データを生成するパケット処理部と、上記第２データを伝達方式によって所定数だけコピーし、上記識別コードによって当該出力ポートに伝達するスイッチ部と、上記第２データに追加された識別コードを除去し、ＴＤＭＡ  ＰＯＮフレームに変換するＭ個のＴＤＭＡ  ＰＯＮ  ＭＡＣ処理部と、上記ＴＤＭＡ  ＰＯＮフレームを光信号に変換してＯＮＴに伝送するＭ個の光送信部と、を備える。
【００１０】
上記技術的課題を解決するための本発明に係る放送サービスのためのＴＤＭＡ  ＰＯＮ  ＯＬＴシステムの受信装置の実施の一形態は、ＯＮＴから伝送されたバーストモード特性を有する光信号を受信してデータを抽出するＭ個の光受信部と、上記抽出されたデータをＴＤＭＡ  ＰＯＮフレームに復元するＭ個のＴＤＭＡ  ＰＯＮ  ＭＡＣ処理部と、上記復元されたＭ個のＴＤＭＡ  ＰＯＮフレームを多重化するスイッチ部と、上記多重化されたフレームをイーサネット（登録商標）フレーム及びパケットデータのうちのいずれか一つに復元するパケット処理部と、を備える。
【発明の効果】
【００１１】
本発明は、ＴＤＭＡ  ＰＯＮ基盤のＦＴＴＨネットワークを利用して、ＩＰＴＶのような放送サービスを放送するための効率的なＯＬＴシステムを提供する。
【００１２】
本発明は、既存のＴＤＭＡ  ＰＯＮ  ＯＬＴでＩＰＴＶのような放送サービスをマルチキャスティング方式で提供することによって発生し得るザッピング時間の遅延を低減できるように、放送サービスを効率的に放送する方策を提供する。
【００１３】
本発明は、ＴＤＭＡ  ＰＯＮネットワークにおいて上向き及び下向き伝送速度を非対称に設定し、これによって最大の加入者を収容できる方策を提供することによってネットワーク資源を効率的に使用して、ＦＴＴＨネットワークにおいてＩＰＴＶサービスを効率的かつ経済的に提供することができる方法を提供する。
【発明を実施するための最良の形態】
【００１４】
以下、添付された図面を参照して本発明の望ましい実施の形態を説明する。
【００１５】
図１は、既存のＴＤＭＡ  ＰＯＮシステムにおけるフレームの伝達方法を示す図面である。
【００１６】
ＦＴＴＨネットワークを利用した加入者へのデータの伝達方法においてＥＰＯＮ及びＧＰＯＮのようなＴＤＭＡ  ＰＯＮ技術が標準化されており、ＴＤＭＡ  ＰＯＮでは、ＯＬＴ（Ｏｐｔｉｃａｌ  Ｌｉｎｅ  Ｔｅｒｍｉｎａｌ）からＯＮＴ（Ｏｐｔｉｃａｌ  Ｎｅｔｗｏｒｋ  Ｔｅｒｍｉｎａｌ）に伝送する下向きデータ信号の伝送時には、既存の光伝送技術であるコンティニュアスモード（ｃｏｎｔｉｎｕｏｕｓ  ｍｏｄｅ）伝送技術を使用し、ＯＮＴからＯＬＴに信号を伝送する上向きデータ信号の伝送時には、各ＯＮＴからのパケットデータを送受信できるバーストモード伝送技術を使用することを特徴とする。
【００１７】
ＯＬＴ１００からＯＮＴ１２０、１３０方向に伝達される下向きトラフィックを説明すると、ＯＬＴのパケット処理部１０１は、外部ノード又はＯＮＴから受信されたデータのＬ３乃至Ｌ７階層を処理し、処理されたフレームをＴＤＭＡ  ＰＯＮ  ＭＡＣ処理部１０２、１０４に伝達する。
【００１８】
データ処理性能がＡであるパケットプロセッサと、リンク速度がＡ／ｍであるＴＤＭＡ  ＰＯＮ  ＭＡＣとを連結する場合、素子数を低減するために、ｍ個のＴＤＭＡ  ＰＯＮ  ＭＡＣ処理部１０２、１０４が多重化されて連結される。ＴＤＭＡ  ＰＯＮ  ＭＡＣ処理部１０２、１０４のフレームは、ＧＰＯＮ及びＥＰＯＮの標準勧告案によってＬＬＩＤ（Ｌｏｇｉｃａｌ  Ｌｉｎｋ  Ｉｄｅｎｔｉｆｉｅｒ）又はＯＮＵ  ＩＤを付加したＴＤＭＡ  ＰＯＮフレームを光送受信部１０３、１０５に伝達する。
【００１９】
光送受信部は、標準勧告案によって電気信号を光信号に変換して、光路を介して分配器１４０に伝達する。分配器では、標準案に勧告された分岐範囲内でｋ個の光信号に分岐されてＯＮＴ１２０、１３０に伝達される。
【００２０】
ＯＮＴ１２０、１３０の光送受信部は、光信号を電気信号に変換してＴＤＭＡ  ＰＯＮ  ＭＡＣ処理部１２２、１３２に伝達する。ＴＤＭＡ  ＰＯＮ  ＭＡＣ処理部は、電気信号からデータを抽出して、ＯＬＴから伝達されたＴＤＭＡ  ＰＯＮフレームを復元する。
【００２１】
復元されたフレームは、ＧＰＯＮ及びＥＰＯＮの標準勧告案によって、自身に伝達されるＴＤＭＡ  ＰＯＮフレームをイーサネットフレームに変換してブリッジ１２３、１３３に伝達する。ブリッジは、受信されたイーサネットフレームを目的地加入者装置に伝達する。
【００２２】
逆に、ＯＮＴからＯＬＴに伝達される上向き信号を説明すると、ＯＮＴ  １２０、１３０のブリッジは、加入者装置から受信されたイーサネットフレームをＴＤＭＡ  ＰＯＮ  ＭＡＣ処理部１２２、１３２に伝達する。
【００２３】
ＴＤＭＡ  ＰＯＮ  ＭＡＣ処理部１２２、１３２は、イーサネットフレームをＴＤＭＡ  ＰＯＮフレームに変換し、ＯＬＴ制御によって自身にフレームの伝達を許容する時間の間にのみフレームを光送受信部１２１、１３１に伝達する。
【００２４】
光送受信部１２１、１３１は、電気信号を光信号に変換してフレームの伝達を許容する時間の間にのみ光信号を伝達し、許容しない時間には、ＯＮＴ間の信号の干渉を防止するために光信号を遮断する。このような信号伝達方法をバーストモードという。
【００２５】
スプリッタ１４０は、ｋ個のＯＮＴから伝達された信号を多重化して、ＯＬＴの光送受信部１０３に伝達する。
【００２６】
光送受信部１０３は、バーストモードの光信号からデータを抽出して、ＴＤＭＡ  ＰＯＮ  ＭＡＣ処理部１０２に伝達する。
【００２７】
ＴＤＭＡ  ＰＯＮ  ＭＡＣ処理部１０２は、標準勧告案によってフレームを処理してパケット処理部１０１に伝達する。パケット処理部１０１は、最大ｍ個のＴＤＭＡ  ＰＯＮ  ＭＡＣ処理部１０２、１０４から伝達されたパケットを処理して、アップリンク（Ｕｐｌｉｎｋ）又はＰＯＮの目的地ポートに伝達する。
【００２８】
ＦＴＴＨネットワークを利用して加入者にＩＰＴＶのような放送サービスを提供するためには、既存のものよりはるかに多くの下向きの帯域が要求される。現在、超高速インターネット網の場合にも、下向きトラフィックが上向きトラフィックよりはるかに多い状態であり、もし、追加的に放送サービスを提供すれば、上向きトラフィック及び下向きトラフィック比率がさらに深刻に非対称になる。対称形ＴＤＭＡ−ＰＯＮシステムでは、非対称トラフィックの特性によりネットワーク資源を効率的に使用できないという問題点を引き起こして、装備及び設備コストの上昇をもたらす。
【００２９】
既存のＴＤＭＡ  ＰＯＮでは、帯域の制限によって多くの帯域を必要とする放送フレームを総てのＰＯＮ加入者に伝達せず、ＩＧＭＰ（Ｉｎｔｅｒｎｅｔ  Ｇｒｏｕｐ  Ｍａｎａｇｅｍｅｎｔ  Ｐｒｏｔｏｃｏｌ）を利用してマルチキャスト方式でＩＰＴＶ放送サービスを提供するか、又は、放送信号をデータ通信信号と異なる別途の波長を利用する波長分割多重化方式を利用して放送して提供した。
【００３０】
マルチキャスト方式で伝達する方法は、チャンネル変更時間の遅延によってユーザに不便さを与え、波長分割多重化を利用したブロードキャスティング方式は、放送信号のみのために、高価な光受信器及び光増幅器を追加しなければならないので、システムの構築コストを上昇させる。
【００３１】
図２は、本発明に係るＩＰＴＶのような放送サービスの提供のためのＴＤＭＡ  ＰＯＮシステムの構造を示す図面である。
【００３２】
本発明によるＴＤＭＡ−ＰＯＮ  ＯＬＴシステムの構造は、パケット処理部２０１、スイッチ部２０２、ＭＡＣ処理部２０３、２０５、光送受信部２０４、２０６から構成され、パケット伝達経路によって、ＯＬＴからＯＮＴに伝達する下向きとＯＮＴからＯＬＴに伝達する上向きとに区分される。
【００３３】
ＯＬＴのパケット処理部２０１は、下向きに外部ノード又はＯＮＴから受信されたデータのＬ３乃至Ｌ７階層の機能を処理して、目的地ＴＤＭＡ  ＰＯＮポート及びフレーム識別情報を含む内部フレームを生成して、スイッチ部２０２に伝達する。
【００３４】
パケット処理部２０１は、上向きに最大ｍ個のＴＤＭＡ  ＰＯＮ  ＭＡＣ処理部２０３、２０５から受信されたデータからフレームを復元し、パケットヘッダ又はイーサネットヘッダに含まれたアドレス情報によってアップリンク（Ｕｐｌｉｎｋ）又はＴＤＭＡ  ＰＯＮポートに伝達する。
【００３５】
ＯＬＴのスイッチ部２０２は、最大ｍ個のＴＤＭＡ  ＰＯＮ  ＭＡＣ処理部が連結され、パケット処理部２０１から最大トラフィック量がＡだけの帯域を有するフレームを下向きに伝達されて、ブロードキャスト、マルチキャスト及びユニキャストに区分し、ブロードキャストフレームは、ｍ個の総てのＴＤＭＡ  ＰＯＮ  ＭＡＣ処理部にコピーして伝達し、ユニキャストフレームは、目的地ＴＤＭＡ  ＰＯＮ  ＭＡＣ処理部に伝達し、マルチキャストフレームは、目的地として指定されたＴＤＭＡ  ＰＯＮ  ＭＡＣ処理部にコピーして伝達する。
【００３６】
スイッチ部２０２は、上向きに最大ｍ個のＴＤＭＡ  ＰＯＮ  ＭＡＣから受信されたフレームを多重化して、最大のパケット処理性能がＡであるパケット処理部２０１に伝達する。
【００３７】
ここで、ｍは、１個のパケット処理部にスイッチを介して連結され得るＴＤＭＡ  ＰＯＮ  ＭＡＣ処理部の数であり、ＴＤＭＡ  ＰＯＮ  ＭＡＣ処理部から受信された上向きトラフィックを測定して、ユーザが決定する。もし、ユーザが１個のフレームでも損傷されることを許容しなければ、ｍ個のＴＤＭＡ  ＰＯＮ  ＭＡＣ処理部の上向きデータの伝送速度を測定して、最も速い伝達速度を下向きの最大リンク速度（＝Ａ）で割った値がｍ値になる。
【００３８】
しかし、一部の低い等級のフレームが損失されることを許容すれば、データの伝達速度を落とし得るので、ｍ値が増大して、１個のパケット処理部２０１にさらに多くのＴＤＭＡ  ＰＯＮ  ＭＡＣ処理部を連結することができる。
【００３９】
ＴＤＭＡ  ＰＯＮ  ＭＡＣ処理部２０３、２０５は、スイッチ部２０２から下向きにフレームを伝達されて、ＴＤＭＡ  ＰＯＮ下向き信号のためのＭＡＣ機能を処理した後に光送信部２０４、２０６に伝達する。
【００４０】
ＴＤＭＡ  ＰＯＮ  ＭＡＣ処理部は、光送信部から上向きに信号を伝達されて、ＴＤＭＡ  ＰＯＮ上向き信号のためのＭＡＣ機能を処理した後にスイッチ部２０２に伝達する。
【００４１】
ＯＬＴの光送信部２０４、２０６は、ＴＤＭＡ  ＰＯＮ  ＭＡＣ処理部２０３、２０４からフレームを下向きに伝達されて、電気信号をＡ／ｎ速度を有する光信号に変換して光分配器２４０に伝達する。ここで、ｎは、下向き及び上向きリンク速度の比率をいう。
【００４２】
代表的に、ＥＰＯＮの場合には、下向き１Ｇ、上向き１Ｇの速度を有するので、ｎ＝１であり、下向き２.５Ｇ、上向き１.２５Ｇの速度を有するＧＰＯＮは、ｎ＝２である。光信号への変換時に分配器の分岐数ｋに合わせてパワーを調節しなければならない。
【００４３】
ＯＬＴの光送受信部２０４、２０６は、バーストモードの光信号からデータを抽出してＴＤＭＡ  ＰＯＮ  ＭＡＣ処理部２０３、２０５に上向きに伝達する。ＴＤＭＡ  ＰＯＮ  ＭＡＣ処理部２０３、２０５は、標準勧告案によってフレームを処理してスイッチ部２０２に伝達する。
【００４４】
スプリッタ２４０は、下向きに伝送速度がＡである光信号を分岐してＯＮＴ１２０、１３０に伝達する。光分配器のｋ値は、分岐数を表示する。分配器は、ＯＮＴから伝達された光信号を多重化してＯＬＴの光送受信部２０４、２０６に上向きに伝達する。
【００４５】
ＯＮＴ２２０、２３０は、光送受信部２２１、２３１、ＴＤＭＡ  ＰＯＮ  ＭＡＣ処理部２２２、２３２、ブリッジ２２３、２３３から構成される。ＯＴＲｘは、光信号を電気信号に変換して、ＴＤＭＡ  ＰＯＮ  ＭＡＣ処理部２２２、２３２に下向きに伝達する。
【００４６】
光送受信部は、電気信号を光信号に変換し、フレームの伝達を許容する時間の間にのみ光信号を上向きに伝達し、許容しない時間には、ＯＮＴ間の信号の干渉を防止するために光信号を遮断する。
【００４７】
ＴＤＭＡ  ＰＯＮ  ＭＡＣ処理部は、下向きにＯＬＴから伝達されたＴＤＭＡ  ＰＯＮフレームを復元し、自身に伝達されたＴＤＭＡ  ＰＯＮフレームのみをイーサネットフレームに変換してブリッジ２２３、２３３に伝達する。ＴＤＭＡ  ＰＯＮ  ＭＡＣ２２２、２３２は、イーサネットフレームをＴＤＭＡ  ＰＯＮフレームに変換して、ＯＬＴが自身に許容する時間の間にのみフレームを光送受信部に上向きに伝達する。
【００４８】
ブリッジは、フレームを処理してイーサネットヘッダの目的地アドレスを参照して、目的地加入者装置にフレームを下向きに伝達する。ブリッジ２２３、２３３は、加入者装置から受信したフレームのうち、ＯＬＴに伝達するフレームをＴＤＭＡ  ＰＯＮ  ＭＡＣ処理部２２２、２３２に上向きに伝達する。
【００４９】
以上では、本発明の望ましい実施の形態を例示的に説明したが、本発明の範囲は、このような特定の実施の形態にのみ限定されるものではなく、特許請求の範囲に記載された範囲内において適切に変更可能である。
【産業上の利用可能性】
【００５０】
本発明は、放送サービスのためのネットワークシステム関連の技術分野に好適に利用され得る。
【図面の簡単な説明】
【００５１】
【図１】既存のＴＤＭＡ  ＰＯＮシステムにおけるフレームの伝達方法を示す図面である。
【図２】本発明に係るＩＰＴＶのような放送サービスの提供のためのＴＤＭＡ  ＰＯＮシステムの構造を示す図面である。
【符号の説明】
【００５２】
２０１  パケット処理部
２０２  スイッチ部
２０３、２０５  ＭＡＣ処理部
２０４、２０６  光送受信部
２２０、２３０  ＯＮＴ
２２１、２３１  光送受信部
２２２、２３２  ＴＤＭＡ  ＰＯＮ  ＭＡＣ処理部
２２３、２３３  ブリッジ
２４０  スプリッタ
【図１】
2007174641.tif 000003
【図２】
2007174641.tif 000004